(57)【要約】【課題】枠体を積み重ねたときに、パッキンなどのシールがなくても、確実に内部への雨水などの浸入がなく、位置決めも簡単に行うことができる防音パネルを提供する。【解決手段】中空部形成壁１２〜１４によって囲まれた中空部１１と中空部形成壁の外表面１２ａと平行配置された溝形成壁１７とによって形成されたパネル３０を嵌め込むための溝部１６とをもつ枠体１０を備え、中空部が、その外側に接合壁１９と、溝部と反対側に位置して中空部形成壁から延び、かつ端部の内表面に突条２２を備える覆い壁２１とを有し、該覆い壁が、中空部形成壁に隣接枠体の溝形成壁を接触させて積み重ねたときに、突条が接合壁に当接していると共に、覆い壁の内表面と隣接枠体の中空部形成壁の外表面との間に隙間２５を形成してなる。【選択図】図２
2009221712.tif 000002
【特許請求の範囲】
【請求項１】
中空部形成壁によって囲まれた中空部と中空部形成壁の外表面と平行配置された溝形成壁とによって形成されたパネルを嵌め込むための溝部とをもつ枠体を備え、中空部が、その外側に接合壁と、溝部と反対側に位置して中空部形成壁から延び、かつ端部の内表面に突条を備える覆い壁とを有し、該覆い壁が、中空部形成壁に隣接枠体の溝形成壁を接触させて積み重ねたときに、突条が接合壁に当接していると共に、覆い壁の内表面と隣接枠体の中空部形成壁の外表面との間に隙間を形成してなることを特徴とする防音パネル。
【請求項２】
中空部がフラットな外表面をもつ互いに直交配置された四つの中空部形成壁によって囲まれた矩形状に形成され、接合壁がある中空部形成壁の側壁の外側に平行配置され、覆い壁がこの中空部形成壁の側壁と平行に形成されている請求項1に記載の防音パネル。
【請求項３】
接合壁が、突条との接合面を平面に、前記突条が接合壁との接合面を曲面に形成されている請求項２に記載の防音パネル。
【発明の詳細な説明】
【技術分野】
【０００１】
本発明は、防音パネルに係わり、さらに詳しくは、建設現場において仮設足場に取り付けるのに好適な防音パネルに関する。
【背景技術】
【０００２】
この種のパネルとして、軽金属材料により四角枠状に形成された枠本体の内周にはパネル本体が嵌め込まれる溝を有する嵌め込み部を備え、枠本体の外周には嵌め込み部に直交するように後方へ延びる側壁部を備えるとともに、嵌め込み部と側壁部との間に段差部を備え、パネル本体を横にして複数の枠体を積み重ねたときに段差部で互いに係合して位置決めされる防音パネルの枠体であって、枠本体の前面を第１重合面とし、段差部の後部には枠体を積み重ねたときに第１の重合面に重合する第２重合面形成したものが提供されている（例えば発明文献１を参照）。
【０００３】
しかし、この防音パネルは、枠体を積み重ねたときに、第１の重合面と第２重合面とが重合するだけでなく、側壁部から水平に延びる突縁部も結合部に重合する、つまり第３重合面と第４重合面とが重合させなければならず、積み重ね作業に手間を要する。さらに、第３重合面と第４重合面とは外側に開いているため、ここから内部に浸入した雨水などの水は、側壁部の間に配置したパッキンによって止めているが、部品点数が多くなり、積み重ねに際してパッキンの組み付けにも気を付けなければならず、作業にさらに手間を要する。
【特許文献１】特開２００６−３１６４４４号公報
【発明の開示】
【発明が解決しようとする課題】
【０００４】
本発明は、上記のような現状に鑑み、枠体を積み重ねたときに、パッキンなどのシールがなくても、確実に内部への水浸入がなく、位置決めも簡単に行うことができる防音パネルを提供することを、その課題とする。
【課題を解決するための手段】
【０００５】
上記課題を解決することを目的としてなされた本発明防音パネルの構成は、中空部形成壁によって囲まれた中空部と中空部形成壁の外表面と平行配置された溝形成壁とによって形成されたパネルを嵌め込むための溝部とをもつ枠体を備え、中空部が、その外側に接合壁と、溝部と反対側に位置して中空部形成壁から延び、かつ端部の内表面に突条を備える覆い壁とを有し、該覆い壁が、中空部形成壁に隣接枠体の溝形成壁を接触させて積み重ねたときに、突条が接合壁に当接していると共に、覆い壁の内表面と隣接枠体の中空部形成壁の外表面との間に隙間を形成してなることを特徴とするものである。
【０００６】
本発明は、上記構成において、中空部はフラットな外表面をもつ互いに直交配置された四つの中空部形成壁によって囲まれた矩形状に形成され、接合壁はある中空部形成壁の側壁の外側に平行配置され、覆い壁がこの中空部形成壁の側壁と平行に形成された構成とすることができる。
【０００７】
また、上記構成において、接合壁は、突条との接合面を平面に、前記突条が接合壁との接合面を曲面に形成されていてもよい。
【発明の効果】
【０００８】
本発明防音パネルは、上述のように、中空部形成壁によって囲まれた中空部と中空部形成壁の外表面と平行配置された溝形成壁とによって形成されたパネルを嵌め込むための溝部とをもつ枠体を備え、中空部が、その外側に接合壁と、溝部と反対側に位置して中空部形成壁から延び、かつ端部の内表面に突条を備える覆い壁とを有し、該覆い壁が、中空部形成壁に隣接枠体の溝形成壁を接触させて積み重ねたときに、突条が接合壁に当接していると共に、覆い壁の内表面と隣接枠体の中空部形成壁の外表面との間に隙間を形成してなるので、雨水などが突条と接合壁との当接部から毛細管現象によって吸い込まれても、覆い壁と隣接枠体の側壁との間の隙間によって遮断され、内部に浸入するのを阻止することができる。
また、防音パネルを積み重ねるときにも、パッキンのようなシール材を必要とせずに防水することができ、積み重ねも簡単かつ短時間で行うことができる。そして、積み重ねた防音パネルは、たんに積み重ねるだけで、接合壁と覆い壁の突条とによって動きを止めることができる。
【発明を実施するための最良の形態】
【０００９】
以下、添付図を参照して、本発明防音パネルの実施の形態例を説明する。添付図において、図１は本発明防音パネルの実施形態の一例を示す斜視図、図２は図１の２ー２線に沿う拡大断面図、図３は図２の矢印３方向から見た断面図、図４は図１に示す本発明防音パネルの積み重ね状態を示す断面図である。
【００１０】
本発明防音パネルは、図１に示すように、矩形をなし中央を開口された枠体１０および枠体１０の中央開口に嵌め込まれる平行平面板のパネル３０からなっている。この防音パネルは、例えば、建築現場の仮設骨組みに固定して使用するもので、骨組みの寸法に合わせた、縦横寸法の異なる複数種類のものがある。ここに説明する実施態様は、これらのうちの一つである。
【００１１】
枠体１０はフラットな矩形状をなしている。この枠体１０は、アルミニウム合金などの軽金属の引き抜き材を矩形に組み合わせ、端部を溶接することでつくられている。
【００１２】
各引き抜き材は、図２および図３に示すように、中空部１１を備えている。中空部１１は、矩形状断面をなすもので、中空部形成壁１２，１３，１４，１５によって囲まれている。
【００１３】
中空部形成壁１２の外側には溝部１６が配置されている。溝部１６はＬ字形の溝形成壁１７によって形成されている。溝形成壁１７は、一辺の内表面１７ｂを中空部形成壁１２の外表面１２ａと平行に配置され、他辺を中空部形成壁１４と一体に形成されている。パネル３０は、その周縁を枠体１０の溝部１６に嵌め込まれている。
【００１４】
枠体１１の中空部形成壁１３は外側に延長されている。延長壁１８の端部には、接合壁１９が一体に形成されている。接合壁１９は、平行平面壁からなっており、中空部形成壁１４と平行に配置されている。
【００１５】
さらに、中空部形成壁１３からの延長部には覆い壁２１が一体に形成されている。覆い壁２１は溝部１６と反対側に中空部形成壁１３と平行に真っ直ぐに延びている。突条２２が覆い壁２１の端部に外側に一体に形成されている。
【００１６】
覆い壁２１の長さＬは、溝形成壁１７の外表面１７ａと延長壁１８の外表面との間の距離Ｄ１よりも、僅かに短い。そして、覆い壁２１の内表面２１ｂと中空部形成壁１５の外表面１５ａとの間の距離Ｄ２は、溝形成壁１７の内表面１７ｂの幅Ｗよりも広い。
【００１７】
このため、中空部形成壁１２の外表面１２ａに隣接枠体１０’の溝形成壁１７’の外表面１７ａ’を接合させて、隣接枠体１０’を積み重ねると、覆い壁２１の内表面２１ｂと隣接枠体１０’の中空部形成壁１４’の内表面１４ｂ’との間に隙間２５を形成して外側に配置されると共に、突条２２が接合壁１９に当接する。詳しく説明する。
【００１８】
図４は本発明防音パネルの積み重ね状態を示している。区別を容易にするために、隣接パネルの参照符号にはダッシュを付してある。枠体１０の上に隣接枠体１０’が載せられる。隣接枠体１０’が枠体１０に積載されると、接合壁１９の内表面が隣接防音パネルの覆い壁２１’にある突条２２’に接触し、中空部形成壁１４および溝形成壁１７の外表面と隣接枠体１０’の接合壁１９’との間に隙間２５が形成される。
【００１９】
このときに、隣接枠体１０’が傾いて積載されても、枠体間にある隙間２５によって、隣接枠体１０’がずれ、溝形成壁１７と隣接枠体１０’の中空部形成壁１３’とをぴったり接触させて、枠体１０の上に隣接枠体１０’をきちんと積載させる。そして、曲面に形成された突条２２’が、隣接枠体１０’が動いても、溝形成壁１７と隣接枠体１０’の中空部形成壁１３とを常に接合させる。同様にして、隣接枠体防音パネルの上に、第三の防音パネルを、第三の防音パネルの上に第四の防音パネルを積載することができて、積み重ね作業を簡単に、短時間で行うことができる。
【００２０】
保管中などに、水がかかると、接合壁１９と隣接枠体１０’の突条２２’との間から毛細管現象によって吸い込まれるが、隙間２５によって遮断されているため、内部に水が浸入しない。このため、単に防音パネルを積み上げるだけで保管することができて、シール材の挿入などの作業も必要とせず、積み重ね作業を簡単にかつ短時間で行える。
【００２１】
なお、建築現場の仮設足場などへの固定は、たとえば、覆い壁２１にある孔２３に孔を一致させて連結板（図示せず）をリベットなどで固定すると共に、仮設足場の骨組みにＬ字状をなす支持材を固定し、支持材に連結板および枠体１０の孔２３に嵌め込むことによってなされる。嵌め込むと、図３に二点鎖線で示すように、枠体１０の接合壁１９が隣接枠体１０’の接合壁に外表面同士を接触させて配置され、内部の現場を囲い、工事に伴う騒音を吸収および反射し、外部への漏音を少なくすることができる。
【図面の簡単な説明】
【００２２】
【図１】本発明防音パネルの実施形態の一例を示す斜視図。
【図２】図１の２ー２線に沿う拡大断面斜視図。
【図３】図２の矢印３方向から見た断面図。
【図４】図１に示す本発明防音パネルの積み重ね状態を示す断面図。
【符号の説明】
【００２３】
１０      枠体
１１      中空部
１２      中空部形成壁
１２ａ    外表面
１３      中空部形成壁
１４      中空部形成壁
１４ｂ    内表面
１５      中空部形成壁
１５ａ    外表面
１６      溝部
１７      溝形成壁
１７ａ    外表面
１７ｂ    内表面
１８      延長壁
１９      接合壁
２１      覆い壁
２１ｂ    内表面
２２      突条
２３      孔
２５      隙間
【図１】
2009221712.tif 000003
【図２】
2009221712.tif 000004
【図３】
2009221712.tif 000005
【図４】
2009221712.tif 000006